(57)【特許請求の範囲】
【請求項１】
縦方向両端縁部にフック状ストリップ（３，４）を有する中心ウェブストリップ（２）を有し、各フック状ストリップは互いに逆方向を向き且つ互いに連結すべき矢板（２３，２４）の対応するフック状ストリップ（２１，２２）と係合する、２枚の矢板を互いに一定角度で連結するための矢板用連結要素において、
（ａ）前記フック状ストリップ（３，４）がほぼ同一の構造であり且つ三日月型の断面を有し、三日月型の前記フック状ストリップ（３，４）の弧は２１０°から２７５°の範囲内にあり、
（ｂ）前記フック状ストリップ（３，４）の一方のフック状ストリップ（３）の三日月開口部（９）は前記中心ウェブストリップ（２）から離れた方向を向き、前記フック状ストリップ（３，４）の他方のフック状ストリップ（４）の三日月開口部（１５）は前記中心ウェブストリップ（２）の方向と実質的に平行な方向を向いており、
（ｃ）前記一方のフック状ストリップ（３）がアーチ型の前記中心ウェブストリップ（２）に接続された爪状ストリップ（５）と、この中心ウェブ領域から離れる方向を向いた突起（６）と、爪状ストリップ（５）と突起（６）の間に形成されている実質的にＣ字型の滑らかな内壁（７）とによって区画され、
（ｄ）前記他方のフック状ストリップ（４）がアーチ型の前記中心ウェブストリップ（２）と連通した領域で形成され、その端部が爪状ストリップ（１３）となっており、
（ｅ）前記一方のフック状ストリップ（３）の内部空間（８）の表面をほぼ等分な空間に２分割する当該一方のフック状ストリップ（３）の中心線（１０）は、前記中心ウェブストリップ（２）から鋭角に当該中心ウェブストリップ（２）の中心線へ向かって延びており、
（ｆ）前記他方のフック状ストリップ（４）の内部空間（１４）の表面をほぼ等分な空間に２分割する当該他方のフック状ストリップ（４）の中心線（１７）は、前記中心ウェブストリップ（２）の中心線方向へ向かって当該中心ウェブストリップ表面に対して鋭角に延びている
ことを特徴とする矢板用連結要素。
【請求項２】
前記一方のフック状ストリップ（３）の中心線（１０）と前記中心ウェブストリップ（２）の中心線との間の前記鋭角が約４５°である請求項１に記載の矢板用連結要素。
【請求項３】
前記他方のフック状ストリップ（４）の中心線（１７）と前記中心ウェブストリップ（２）の中心線との間の前記鋭角が約２０°である請求項１又は２に記載の矢板用連結要素。
【発明の詳細な説明】
本発明は特許請求項１の前提部分に記載の矢板（sheet piles）用連結要素に関するものである。
この種の連結要素は公知であり、矢板壁の矢板の連結、特に互いに所定角度を成して連結された２枚の互いに隣接する矢板を互いに連結するのに用いられ、多数の形および設計が知られている。
矢板壁の２枚の矢板を９０度の角度で互いに連結する公知のコーナー用連結要素は略Ｓ字型部分と、その両側に延びた２つの互い逆方向を向いたフック状ストリップを有する実質的に直線状のウェブストリップとを有している。フック状ストリップの一方は他方より小さく作られていて、連結される矢板の対応する各フック状ストリップと係合するようになっている。この連結要素は互いに９０°の角度を成す矢板の連結用にしか使えず、しかも、連結要素を打ち込んだ時に小さい方フック状ストリップと連結した矢板が対応するフック状ストリップから飛び出すことがあった。その場合には作業を中断し、はじめからやり直さなければならない。デルタ型をした別の連結要素も公知である。この連結要素もウェブストリップの片側に小さいフック状ストリップを有し、他方の側に三日月型断面の大きいフック状ストリップを有している。この三日月型断面は９０度以外の角度を成す矢板壁を互いに連結できるという利点を有する。この特許に規定の角度は９０〜１３５°の間である。しかし、小さい方のフック状ストリップは上記のコーナーセクションと同じ構造であるので、フック状ストリップを打ち込んだ時に互いに連結した矢板の対応するフック状ストリップから飛び出すことがある。
本発明の課題は、既存の矢板と一緒に使用でき、連結する矢板の対応するフック状ストリップから飛び出ることのない、上記タイプの矢板用連結具を提供することにある。この矢板用連結具はさらに、互いに異なる角度で矢板を連結することができるものでなけれはならない。
この課題は請求の範囲の請求項１の特徴部分に記載の本発明によって解決される。
本発明のフック状ストリップはＣ字型または三日月型断面であり、２つの三日月型フック状ストリップの弧は１８０°以上、好ましくは約２２５〜２５０°の範囲である。一方のフックの三日月開口部はウェブから離れた方向を向き、もう一方の三日月開口部はウェブストリップと実質的に平行な方向を向いているか、わずかにウェブストリップの方へ傾いている。連結要素の断面は実質的にタツノオトシゴ形である。
両方のフック状ストリップの滑らかなアーチ型内壁は連結する矢板の対応するフック状ストリップを取り囲むが、大抵の場合、互いに連結される矢板のフック状ストリップと連結要素のフック状ストリップとの間には三点接触（すなわち十分な相互接触）ができる。このように取り囲むことで連結要素が打ち込み中に矢板のフック状ストリップから滑り出るのを確実に防ぐことができる。
本発明の他の利点は、矢板壁を本発明連結要素を用いて約４５°〜約１２５°の角度で連結することができ、この全ての角度範囲で確実な連結が得られ、打ち込み中に連結要素がフック状ストリップから飛び出すのを確実に防ぐことができる点にある。この角度範囲はロックの寸法（すなわち互いに連結する矢板のフック状ストリップの寸法）によって決まる。
さらに、連結要素をウェブの中間で縦方向に分割し、２つの溶接用脚部にすることもできる。この溶接用脚部を矢板の壁に溶接し、フック状ストリップを矢板壁から突出させ、このフック状ストリップに連結すべき矢板のフック状ストリップを導入することができる。約４５°〜９０°の連結角度の連結が可能である。
本発明の上記以外の改良点は請求の範囲に記載されている。
以下、添付図面を参照した実施例によって本発明をより詳細に説明する。
図１は本発明の矢板用連結要素の概念的な斜視図。
図２は２枚の矢板が互いに連結した時のフック状ストリップを示す連結要素の概念的断面図。
図３は連結要素を分離して得られる溶接コーナー材を示す図で、矢板に連結された状態で示してある。
連結要素１は中心ウェブストリップ２を有し、この中心ウェブストリップ２の一方の縦方向端縁部には第１フック状ストリップ３が、もう一方の縦方向端縁部には第２フック状ストリップ４がそれぞれ形成されている。これらを以下では上部フック状ストリおよび下部フック状ストリップとよぶ。中心ウェブストリップ２は図１の右側に中心平面部分を有する。この中心平面部分の上部領域は半円のアーチとなり、最終的にはフック状ストリップ３の下向きに尖った爪状ストリップ５になっている。中心ウェブストリップの平面領域の上記とは反対の側のウェブストリップにはフック状ストリップ３の下部領域を制限する突起６が形成されている。フック状ストリップ５と突起６との間は滑らかな内壁７でほぼ円形アーチ型またはＣ字型で、フック状ストリップはＣ字型または三日月型になる。従って、フック状ストリップ３は爪状ストリップ５と突起６との間の内壁８に区画された、中心ウェブストリップ２から離れた方向を向く三日月型の開口部９を有する内部空間８を有する。図１では上部フック状ストリップ３の中心線１０は破線で示されている。この中心線１０は内部空間８をほぼ等しい２つの空間に分割する。この中心線１０が下側へ傾斜している（この場合、中心ウェブストリップの平面領域の垂直方向に対して約４５°の鋭角を成している）ことが分かる。破線１１は爪状ストリップ５の方向を示し、この破線１１は垂直方向に対して約２５〜３０°の鋭角を成すことが分かろう。破線１２は突起６の方向を示し、これは中心ウェブストリップ２の平面領域に対して垂直である。これらの角度は一定の範囲内で変えることができる。フック状ストリップ３のＣ字型または三日月型アーチは突起６と爪状ストリップ５との間で１８０°以上、図示した場合には約２５０°になっている。２１０〜２７５°の角度で良い連結結果が得られる。三日月開口部９と中心ウェブストリップ２の壁との間で測定したフック状ストリップの内部空間８の奥行きはほぼ三日月開口部９の幅になる。
下部フック状ストリップ４は上部フック状ストリップ３とほぼ同一の構造を有し、爪状ストリップ１３と、内部空間１４と、三日月開口部１５とを有する。下部フック状ストリップは中心ウェブストリップの平面領域と直接つながっているので、三日月開口部は破線１６で示すようにほぼ平行に上方に開口している。フック状ストリップ３と同様にこの内部空間１４の中心線１７はウェブストリップ２の垂直方向に対して鋭角を成し、三日月開口部１５は中心ウェブストリップの平面領域に対して傾斜している（或いは平面領域を向いている）ということができる。
図１は連結要素１の断面がタツノオトシゴ（sea horse）の形を暗示するものであることを明確に示している。
図２は連結要素１が矢板２３、２４の２つのフック状ストリップ２１、２２に結合している状態を概念的に示している。図から分かるように、フック状ストリップ２１、２２は連結要素１の２つのフック状ストリップ３、４の大きいＣ字型開口部によって完全に取り囲まれて、２枚の矢板を確実に連結している。さらに、２枚の矢板２３、２４の連結角度は矢印Ｐ１、Ｐ２に示すように互いに違っていてもよい。この図面上部の線図は最小連結角度Ｗ１と最大連結角度Ｗ２とを示している。最小角度Ｗ１は約４５°、最大角度Ｗ２は約１３５°である。
図３に示すように、連結要素を突起の領域で切って、突起６の対応する底部で矢板壁に溶着可能なコーナー脚部または溶着脚部３１とし、連結する矢板２３のフック状ストリップ３２を所定角度で壁から離れて突き出たフック状ストリップ３に導入することもできる。。図３ではコーナー脚部３１は上部フック状ストリップ３を含む連結要素１の一部に対応するが、、コーナー脚部としてフック状ストリップ４を有する下部を使用することも当然可能である。
【図１】
0004200391.tif 000002
【図２】
0004200391.tif 000003
【図３】
0004200391.tif 000004